(57)【要約】【課題】設備異常に起因する復水器の真空度低下を早期に検知して、この真空度低下を抑制できるとともに、所定の期間、復水器の真空度を維持でき、この結果、蒸気タービンの突発停止を回避できること。【解決手段】本発明の一態様にかかる復水器真空制御装置１５は、復水器５を起動する起動エゼクタ６と、その蒸気弁６ａおよび空気弁６ｂと、緊急制御部１２ｂとを備える。緊急制御部１２ｂは、予め設定した真空度の低下限度と復水器５の真空度とを比較する。緊急制御部１２ｂは、復水器５の真空度が低下限度未満である場合、蒸気弁６ａを全開にする制御を行い、蒸気弁６ａが全開したことを検知した後、空気弁６ｂを開く制御を行う。【選択図】図１
2013181466.tif 000002
【特許請求の範囲】
【請求項１】
蒸気タービンプラントの復水器の真空度を制御する復水器真空制御装置において、
前記復水器の真空度を上げて蒸気タービンを起動する起動エゼクタと、
前記復水器の真空度を測定する真空計と、
前記蒸気タービンプラント内の設備異常が発生した場合に低下する前記復水器の真空度の低下限度が予め設定され、前記真空度の測定値が前記低下限度未満である場合、前記起動エゼクタ内に通す蒸気流量を調整する蒸気弁を開き、前記起動エゼクタによる前記復水器からの抽気流量を調整する抽気弁を開く制御を行う制御部と、
を備えたことを特徴とする復水器真空制御装置。
【請求項２】
前記蒸気弁が全開したことを検知する検知部をさらに備え、
前記制御部は、前記真空度の測定値が前記低下限度未満である場合、前記蒸気弁を全開状態にする制御を行い、前記検知部による検知結果をもとに前記蒸気弁の全開状態を把握して、前記抽気弁を開く制御を行うことを特徴とする請求項１に記載の復水器真空制御装置。
【請求項３】
前記復水器の冷却水の排水流量を調整する排水弁をさらに備え、
前記制御部は、前記蒸気タービンの正常動作に対応して設定された前記復水器の真空度上限および真空度下限を有し、前記真空度の測定値が前記真空度上限超過である場合、前記排水弁の弁開度を絞る制御を行い、前記真空度の測定値が前記真空度下限未満である場合、前記排水弁の弁開度を上げる制御を行うことを特徴とする請求項１または２に記載の復水器真空制御装置。
【請求項４】
前記低下限度は、前記真空度下限に比して低いことを特徴とする請求項３に記載の復水器真空制御装置。
【請求項５】
蒸気タービンプラントの復水器の真空度を制御する復水器真空制御方法において、
前記蒸気タービンプラント内の設備異常が発生した場合に低下する前記復水器の真空度の低下限度を予め設定し、起動エゼクタの蒸気弁と抽気弁とを開状態にすることによって、前記復水器の真空度を上げて蒸気タービンを起動し、前記蒸気タービンの起動後、前記蒸気弁と前記抽気弁とを閉状態にし、真空計によって測定した前記復水器の真空度と前記低下限度とを比較して、前記真空度の測定値が前記低下限度未満である場合、前記蒸気弁を開状態にして前記抽気弁を開状態にすることを特徴とする復水器真空制御方法。
【請求項６】
前記真空度の測定値が前記低下限度未満である場合、前記蒸気弁を開くとともに前記蒸気弁の弁開度を監視し、前記蒸気弁が全開した場合、前記抽気弁を開くことを特徴とする請求項５に記載の復水器真空制御方法。
【発明の詳細な説明】
【技術分野】
【０００１】
本発明は、蒸気タービンから排出された蒸気を復水する復水器の真空度を制御する復水器真空制御装置および復水器真空制御方法に関するものである。
【背景技術】
【０００２】
従来から、蒸気タービンの復水器の真空度は、蒸気タービンの駆動後に、復水器内の空気を抽出するエゼクタによって粗調整され、蒸気タービンの定常運転時に、復水器を冷却する冷却水の流量調整によって微調整されている。一般に、エゼクタは、蒸気タービンに高圧蒸気を供給するための蒸気母管と電動弁を介して配管接続され、且つ、この蒸気タービンの復水器と電動弁を介して配管接続される。また、復水器の入口側には、冷却水母管が配管接続され、復水器の出口側には、電動弁を備えた排水管が配管接続される。これらの各電動弁は復水器真空制御装置によって駆動制御され、この駆動制御を通して、復水器の真空度が制御される。
【０００３】
復水器真空制御装置は、まず、エゼクタの蒸気母管側の電動弁を開放して、蒸気母管内の高圧蒸気をエゼクタ内に通し、これによって、エゼクタの抽気可能状態を確立する。つぎに、復水器真空制御装置は、エゼクタの復水器側の電動弁を開放して、エゼクタに復水器内の空気を抽出させ、これによって、復水器内を真空状態にする。その後、復水器真空制御装置は、復水器の排水管の電動弁を駆動制御して、復水器の真空度を微調整する。具体的には、復水器真空制御装置は、復水器の真空度が下がった場合、この排水管の弁開度を開いて復水器の冷却水量を増加させ、これによって、復水器の真空度を上げる。一方、復水器真空制御装置は、復水器の真空度が上がった場合、この排水管の弁開度を絞って復水器の冷却水量を減少させ、これによって、復水器の真空度を下げる。
【０００４】
なお、上述したような復水器の真空制御に関する従来技術として、例えば、タービン入口蒸気流量から求めた制御目標真空値と、測定した復水器真空値との偏差に基づいて、復水器冷却水出口電動弁開度と真空値との関係を示す特性表から、復水器冷却水出口電動弁の操作量を求めるものがある（特許文献１参照）。この特許文献１に記載の方法では、このように求めた操作量に応じた弁開度の操作を行って、復水器の冷却水量を調整し、これによって、復水真空値を制御目標真空値に補正している。
【先行技術文献】
【特許文献】
【０００５】
【特許文献１】特開２００７−２６２９１６号公報
【発明の概要】
【発明が解決しようとする課題】
【０００６】
ところで、上述した従来技術は、復水器関連配管等に設備異常が発生せずに復水器の真空制御が継続されていれば、特に問題ない。しかしながら、復水器関連配管の腐食によるピンホール等の設備異常が発生し、この発生した設備異常に起因して復水器の真空度が低下した場合、上述した従来技術では、たとえ復水器の弁開度を全開にして復水器の冷却水量を最大限に増加させたとしても、復水器の真空度の低下を抑えることができない。この結果、復水器の真空状態が破壊され、ついには、蒸気タービンの突発停止に至るという問題があった。
【０００７】
なお、蒸気タービンがプラント内の重要設備の動力源として用いられている場合、蒸気タービンの突発停止は、プラント内において多大な損害を引き起こす。例えば、蒸気タービンが高炉送風機の動力源として作用する場合、蒸気タービンの突発停止は、高炉送風機の突発停止を引き起こして、高炉の羽口損傷等の重大トラブルに直結する。また、この突発停止に起因する鉄鋼製品生産の悪影響は、計り知れない。
【０００８】
本発明は、上記の事情に鑑みてなされたものであって、設備異常に起因する復水器の真空度低下を早期に検知して、この真空度低下を抑制できるとともに、所定の期間、復水器の真空度を維持でき、この結果、蒸気タービンの突発停止を回避できる復水器真空制御装置および復水器真空制御方法を提供することを目的とする。
【課題を解決するための手段】
【０００９】
上述した課題を解決し、目的を達成するために、本発明にかかる復水器真空制御装置は、蒸気タービンプラントの復水器の真空度を制御する復水器真空制御装置において、前記復水器の真空度を上げて蒸気タービンを起動する起動エゼクタと、前記復水器の真空度を測定する真空計と、前記蒸気タービンプラント内の設備異常が発生した場合に低下する前記復水器の真空度の低下限度が予め設定され、前記真空度の測定値が前記低下限度未満である場合、前記起動エゼクタ内に通す蒸気流量を調整する蒸気弁を開き、前記起動エゼクタによる前記復水器からの抽気流量を調整する抽気弁を開く制御を行う制御部と、を備えたことを特徴とする。
【００１０】
また、本発明にかかる復水器真空制御装置は、上記の発明において、前記蒸気弁が全開したことを検知する検知部をさらに備え、前記制御部は、前記真空度の測定値が前記低下限度未満である場合、前記蒸気弁を全開状態にする制御を行い、前記検知部による検知結果をもとに前記蒸気弁の全開状態を把握して、前記抽気弁を開く制御を行うことを特徴とする。
【００１１】
また、本発明にかかる復水器真空制御装置は、上記の発明において、前記復水器の冷却水の排水流量を調整する排水弁をさらに備え、前記制御部は、前記蒸気タービンの正常動作に対応して設定された前記復水器の真空度上限および真空度下限を有し、前記真空度の測定値が前記真空度上限超過である場合、前記排水弁の弁開度を絞る制御を行い、前記真空度の測定値が前記真空度下限未満である場合、前記排水弁の弁開度を上げる制御を行うことを特徴とする。
【００１２】
また、本発明にかかる復水器真空制御装置は、上記の発明において、前記低下限度は、前記真空度下限に比して低いことを特徴とする。
【００１３】
また、本発明にかかる復水器真空制御方法は、蒸気タービンプラントの復水器の真空度を制御する復水器真空制御方法において、前記蒸気タービンプラント内の設備異常が発生した場合に低下する前記復水器の真空度の低下限度を予め設定し、起動エゼクタの蒸気弁と抽気弁とを開状態にすることによって、前記復水器の真空度を上げて蒸気タービンを起動し、前記蒸気タービンの起動後、前記蒸気弁と前記抽気弁とを閉状態にし、真空計によって測定した前記復水器の真空度と前記低下限度とを比較して、前記真空度の測定値が前記低下限度未満である場合、前記蒸気弁を開状態にして前記抽気弁を開状態にすることを特徴とする。
【００１４】
また、本発明にかかる復水器真空制御方法は、上記の発明において、前記真空度の測定値が前記低下限度未満である場合、前記蒸気弁を開くとともに前記蒸気弁の弁開度を監視し、前記蒸気弁が全開した場合、前記抽気弁を開くことを特徴とする。
【発明の効果】
【００１５】
本発明によれば、設備異常に起因する復水器の真空度低下を早期に検知して、この真空度低下を抑制できるとともに、所定の期間、復水器の真空度を維持でき、この結果、蒸気タービンの突発停止を回避できるという効果を奏する。
【図面の簡単な説明】
【００１６】
【図１】図１は、本発明の実施の形態にかかる復水器真空制御装置を備えた蒸気タービンプラントの概要構成を示す模式図である。
【図２】図２は、タービン入口蒸気流量と復水器の真空度との一特性例を示す模式図である。
【図３】図３は、本実施の形態にかかる復水器真空制御装置の緊急制御部の一回路構成例を示す模式図である。
【発明を実施するための形態】
【００１７】
以下に、添付図面を参照して、本発明にかかる復水器真空制御装置および復水器真空制御方法の好適な実施の形態について詳細に説明する。なお、この実施の形態により本発明が限定されるものではない。
【００１８】
(実施の形態)
まず、本発明にかかる復水器真空制御装置を備えた蒸気タービンプラントの概要構成を説明し、続いて、この復水器真空制御装置の構成を詳細に説明する。図１は、本発明の実施の形態にかかる復水器真空制御装置を備えた蒸気タービンプラントの概要構成を示す模式図である。図１に示すように、この蒸気タービンプラント１は、冷却水供給のための冷却水母管２と、蒸気供給のための蒸気母管３と、供給された蒸気によって駆動する蒸気タービン４と、蒸気タービン４から排出された蒸気を復水する復水器５と、復水器５の真空度を制御する復水器真空制御装置１５とを備える。この蒸気タービンプラント１において、冷却水母管２には、圧力計２ａおよび温度計２ｂが配置され、蒸気母管３のエゼクタ側分岐管には、主蒸気弁３ａが配置される。
【００１９】
詳細は後述するが、復水器真空制御装置１５は、図１に示すように、蒸気タービン４を起動するための起動エゼクタ６と、起動エゼクタ６の蒸気弁６ａおよび空気弁６ｂと、蒸気弁６ａの弁開リミットスイッチ６ｃと、復水器５を高真空状態にするための主エゼクタ７と、主エゼクタ７の蒸気弁７ａおよび空気弁７ｂとを備える。また、復水器真空制御装置１５は、蒸気母管３から蒸気タービン４に流入する蒸気の流量を測定する蒸気流量計８と、復水器５の真空度を測定する真空計９と、復水器５の冷却水出口弁１０と、この冷却水出口弁１０の弁開度を検出する弁開度計１１と、復水器真空制御装置１５の各構成部を制御する制御部１２とを備える。
【００２０】
なお、図１において、蒸気タービンプラント１のエゼクタ関連配管等に例示される細部の配管は図示せず、実線矢印によって、蒸気タービンプラント１内における蒸気または空気の流れが示される。また、図１の破線矢印は、電気信号の流れを示す。
【００２１】
冷却水母管２は、復水器５に冷却水を供給するための配管である。具体的には、冷却水母管２は、復水器５と配管接続され、冷却水ポンプ（図示せず）によって吸引された冷却水を復水器５に供給する。なお、この冷却水は、復水器５を冷却可能な液体であればよく、例えば、海水導入溝（図示せず）から汲みあげた海水であってもよいし、海水以外の水であってもよい。
【００２２】
この冷却水母管２には、図１に示すように、圧力計２ａおよび温度計２ｂが配置される。圧力計２ａは、冷却水母管２内の冷却水の圧力変動を検知するための計測器である。この圧力計２ａによる冷却水の圧力測定値は、冷却水圧力信号として制御部１２に送信される。一方、温度計２ｂは、冷却水母管２内の冷却水の温度変化を検知するための計測器である。この温度計２ｂによる冷却水の温度測定値は、冷却水温度信号として制御部１２に送信される。
【００２３】
蒸気母管３は、蒸気タービン４、起動エゼクタ６および主エゼクタ７に蒸気を供給するための配管である。具体的には、蒸気母管３には、蒸気タービン４側に分岐する分岐管と、エゼクタ側（すなわち起動エゼクタ６および主エゼクタ７の配置側）に分岐する分岐管とが接続される。蒸気母管３は、蒸気タービン４側の分岐管によって蒸気タービン４と配管接続され、この分岐管を介し、ボイラー（図示せず）によって生成された高圧蒸気を蒸気タービン４に供給する。また、蒸気母管３は、エゼクタ側の分岐管によって起動エゼクタ６および主エゼクタ７と配管接続され、この分岐管を介して高圧蒸気を起動エゼクタ６および主エゼクタ７に適宜供給する。
【００２４】
なお、このエゼクタ側の分岐管には、図１に示すように主蒸気弁３ａが配置される。主蒸気弁３ａは、この分岐管内の蒸気流量を調整する手動弁または電動弁である。通常、主蒸気弁３ａは、蒸気タービン４の稼動時において全開状態に操作され、蒸気タービンプラント１の停止時において全閉状態に操作される。
【００２５】
蒸気タービン４は、蒸気母管３から供給された高圧蒸気を受け入れ、この高圧蒸気の作用によって、内部のタービン動翼（図示せず）を回転駆動する。蒸気タービン４は、このタービン動翼の回転駆動によって、発電機（図示せず）等の設備の動力源として機能する。また、蒸気タービン４は、このタービン動翼を回転駆動させた後の蒸気を復水器５に排出する。すなわち、蒸気タービン４は、蒸気出口側において復水器５と配管接続され、この配管を介して、使用済みの蒸気を復水器５に供給する。
【００２６】
なお、蒸気タービンプラント１において、この蒸気タービン４による駆動力は、主に、発電機の動力源として作用する。また、この発電機によって発生した電力は、例えば、高炉に対して送風する高炉送風機等、鉄鋼製品の製造プラントにおいて重要な設備の稼動に消費される。
【００２７】
復水器５は、蒸気タービン４からの蒸気を復水する。具体的には、復水器５は、蒸気タービン４から使用済みの蒸気を受け入れるとともに、冷却水母管２から冷却水を受け入れる。復水器５は、この冷却水を用いて蒸気タービン４からの蒸気を冷却し、これによって、この蒸気を水に戻す。なお、このように復水器５が蒸気を復水して得た水は、回収され、ボイラー（図示せず）に戻される。一方、復水器５は、大気圧に比して低圧化（すなわち真空化）し、これによって、蒸気タービン４の正常な動作に寄与するよう機能する。具体的には、復水器５は、起動エゼクタ６および主エゼクタ７の各作用によって真空状態になり、この真空状態を利用して、蒸気タービン４における蒸気の流れを生み出す。これによって、復水器５は、蒸気タービン４を正常に動作させる。
【００２８】
ここで、復水器５の真空状態は、冷却水母管２から供給された冷却水による蒸気の冷却度合いに応じて変化する。具体的には、復水器５は、この冷却水による蒸気の冷却量の増加に伴って、より一層真空化する。すなわち、復水器５の真空度は、冷却水母管２からの冷却水流量の増加に伴って高まり、この冷却水流量の減少に伴って低くなる。
【００２９】
なお、復水器５の真空状態は、少なくとも大気に比して低圧な状態であり、より低圧化することによって、この真空状態は高まる。すなわち、復水器５の真空度は、復水器５内の圧力低下に伴って高まり、復水器５内の圧力上昇に伴って低くなる。
【００３０】
つぎに、本実施の形態にかかる復水器真空制御装置１５の構成を詳細に説明する。復水器真空制御装置１５は、図１に示すように、起動エゼクタ６と、起動エゼクタ６の蒸気弁６ａおよび空気弁６ｂと、蒸気弁６ａの弁開リミットスイッチ６ｃと、主エゼクタ７と、主エゼクタ７の蒸気弁７ａおよび空気弁７ｂとを備える。また、復水器真空制御装置１５は、蒸気タービン４への蒸気流量を測定する蒸気流量計８と、復水器５の真空計９と、復水器５の冷却水出口弁１０と、冷却水出口弁１０の弁開度計１１と、制御部１２とを備える。
【００３１】
起動エゼクタ６は、蒸気タービン４を起動するためのものである。具体的には、起動エゼクタ６は、蒸気弁６ａ等を介して蒸気母管３と配管接続され、空気弁６ｂを介して復水器５と配管接続される。起動エゼクタ６は、蒸気弁６ａの開放によって蒸気母管３から高圧蒸気が供給され、この供給された高圧蒸気を排出する。起動エゼクタ６は、この高圧蒸気の作用によって、抽気可能な空気吸引状態を確立する。この空気吸引状態の起動エゼクタ６は、空気弁６ｂの開放によって復水器５と連通するとともに、復水器５内の空気を吸引する。これによって、起動エゼクタ６は、短時間且つ急激に復水器５の真空度を上げ、この結果、蒸気母管３から蒸気タービン４へ高圧蒸気を導入して、蒸気タービン４を起動する。
【００３２】
蒸気弁６ａは、蒸気母管３と起動エゼクタ６とを連通する配管（上述したエゼクタ側の分岐管）に配置される。蒸気弁６ａは、アクチュエータ等を用いて実現される電動弁であり、制御部１２によって開閉駆動を制御される。蒸気弁６ａは、開閉駆動することによって、起動エゼクタ６内に通す蒸気母管３からの高圧蒸気の蒸気流量を調整する。
【００３３】
空気弁６ｂは、起動エゼクタ６による復水器５からの抽気流量を調整する抽気弁として機能する。具体的には、空気弁６ｂは、復水器５と起動エゼクタ６とを連通する配管に配置される。空気弁６ｂは、アクチュエータ等を用いて実現される電動弁であり、制御部１２によって開閉駆動を制御される。空気弁６ｂは、開閉駆動することによって、起動エゼクタ６による復水器５の抽気状態を調整する。
【００３４】
弁開リミットスイッチ６ｃは、起動エゼクタ６の蒸気弁６ａの弁開度を検知するためのものである。具体的には、弁開リミットスイッチ６ｃは、蒸気弁６ａの近傍に配置され、全開したか否かを検知する。すなわち、弁開リミットスイッチ６ｃは、蒸気弁６ａが閉状態等の全開ではない状態の場合、オフ状態である。一方、弁開リミットスイッチ６ｃは、蒸気弁６ａが全開状態（弁開度が上限リミット状態）である場合、オン状態になり、弁開度リミット信号を制御部１２に送信する。なお、この弁開リミット信号は、蒸気弁６ａが全開状態である旨を制御部１２に知らせるための信号である。
【００３５】
主エゼクタ７は、起動後の蒸気タービン４の真空状態を高めるためのものである。具体的には、主エゼクタ７は、蒸気弁７ａ等を介して蒸気母管３と配管接続され、空気弁７ｂを介して復水器５と配管接続される。主エゼクタ７は、蒸気弁７ａの開放によって蒸気母管３から高圧蒸気が供給され、この供給された高圧蒸気を排出する。主エゼクタ７は、この高圧蒸気の作用によって、起動エゼクタ６に比して強力な空気吸引状態を確立する。この空気吸引状態の主エゼクタ７は、空気弁７ｂの開放によって復水器５と連通するとともに、起動エゼクタ６に比して高い吸引力によって復水器５内の空気を吸引する。これによって、主エゼクタ７は、起動エゼクタ６に比して復水器５の真空度を高く上げて、復水器５を高真空状態にする。この結果、主エゼクタ７は、蒸気タービン４の真空状態を起動時に比して高い状態にする。
【００３６】
蒸気弁７ａは、蒸気母管３と主エゼクタ７とを連通する配管（上述したエゼクタ側の分岐管）に配置される。蒸気弁７ａは、アクチュエータ等を用いて実現される電動弁であり、制御部１２によって開閉駆動を制御される。蒸気弁７ａは、開閉駆動することによって、主エゼクタ７内に通す蒸気母管３からの高圧蒸気の蒸気流量を調整する。
【００３７】
空気弁７ｂは、主エゼクタ７による復水器５からの抽気流量を調整する抽気弁として機能する。具体的には、空気弁７ｂは、復水器５と主エゼクタ７とを連通する配管に配置される。空気弁７ｂは、アクチュエータ等を用いて実現される電動弁であり、制御部１２によって開閉駆動を制御される。空気弁７ｂは、開閉駆動することによって、主エゼクタ７による復水器５の抽気状態を調整する。
【００３８】
蒸気流量計８は、蒸気タービン４への蒸気流量を測定するためのものである。具体的には、蒸気流量計８は、蒸気母管３と蒸気タービン４とを連通する配管（上述した蒸気タービン４側の分岐管）に配置される。蒸気流量計８は、蒸気母管３から蒸気タービン４に供給される高圧蒸気の蒸気流量（以下、タービン入口蒸気流量という）を連続的または断続的に測定する。蒸気流量計８は、タービン入口蒸気流量を測定する都度、得られたタービン入口蒸気流量を示す蒸気流量信号を制御部１２に送信する。
【００３９】
真空計９は、復水器５の真空度を測定するためのものである。具体的には、真空計９は、復水器５の近傍に配置され、復水器５の真空度を連続的または断続的に測定する。真空計９は、復水器５の真空度を測定する都度、得られた真空度を示す真空度信号を制御部１２に送信する。
【００４０】
冷却水出口弁１０は、復水器５から排出される冷却水の排水流量を調整する排水弁として機能する。具体的には、冷却水出口弁１０は、アクチュエータ等を用いて実現される電動弁であり、制御部１２によって開閉駆動を制御される。冷却水出口弁１０は、復水器５の排水管（図示せず）に配置され、開閉駆動することによって、この排水管内の排水流量を調整する。なお、この排水管内の水は、冷却水母管２から復水器５に供給された後に復水器５よって蒸気の冷却に使用された冷却水である。また、この排水管は、復水器５を介して冷却水母管２と連通している。すなわち、冷却水出口弁１０は、この排水管内の排水流量を調整することによって、冷却水母管２から復水器５に供給される冷却水の供給流量を調整する。冷却水出口弁１０は、この冷却水の供給流量の調整を通して、復水器５の真空度を微調整する。
【００４１】
弁開度計１１は、冷却水出口弁１０の弁開度を検知するためのものである。具体的には、弁開度計１１は、冷却水出口弁１０に取り付けられ、冷却水出口弁１０の弁回転量等をもとに、冷却水出口弁１０の弁開度を測定する。弁開度計１１は、冷却水出口弁１０の弁開度を連続的または断続的に測定し、測定する都度、得られた弁開度を示す弁開度信号を制御部１２に送信する。
【００４２】
制御部１２は、復水器５の真空度を制御するためのものである。具体的には、制御部１２は、復水器真空制御装置１５の機能を実現するためのプログラム等を記憶する記憶部およびこの記憶部内のプログラムを実行するＣＰＵ等を用いて実現される。制御部１２は、蒸気弁６ａ，７ａ、空気弁６ｂ，７ｂ、および冷却水出口弁１０の各開閉駆動を制御し、且つ、復水器真空制御装置１５の各構成部との電気信号の入出力を制御する。
【００４３】
詳細には、制御部１２は、蒸気弁６ａ，７ａ、空気弁６ｂ，７ｂ、および冷却水出口弁１０のうち、開駆動させる弁に対して開駆動の指示信号を送信し、これによって、弁開駆動を制御する。また、制御部１２は、蒸気弁６ａ，７ａ、空気弁６ｂ，７ｂ、および冷却水出口弁１０のうち、閉駆動させる弁に対して閉駆動の指示信号を送信し、これによって、弁閉駆動を制御する。特に、制御部１２は、起動エゼクタ６の蒸気弁６ａおよび空気弁６ｂの開閉駆動を制御する際、蒸気弁６ａを開いた後に空気弁６ｂを開くように蒸気弁６ａおよび空気弁６ｂの駆動タイミングを制御する。同様に、制御部１２は、主エゼクタ７の蒸気弁７ａおよび空気弁７ｂの開閉駆動を制御する際、蒸気弁７ａを開いた後に空気弁７ｂを開くように蒸気弁７ａおよび空気弁７ｂの駆動タイミングを制御する。
【００４４】
また、制御部１２は、真空度特性データ１２ａを有する。真空度特性データ１２ａは、復水器５に関する真空度の特性データである。例えば、真空度特性データ１２ａには、タービン入口蒸気流量に対応する復水器５の真空度の制御目標値（以下、制御目標真空度という）を示す特性データ、冷却水出口弁１０の弁開度に対応する復水器５の真空度を示す特性データ等が含まれる。また、蒸気タービン４の正常動作に対応して、復水器５の真空度の制御上限および制御下限（以下、各々、制御上限真空度および制御下限真空度という）が制御目標真空度毎に予め設定される。なお、制御上限真空度および制御下限真空度は、制御目標真空度を基準とする上限および下限であり、真空度特性データ１２ａの一部として制御部１２に保持される。
【００４５】
制御部１２は、蒸気流量計８から受信した蒸気流量信号をもとにタービン入口蒸気流量を把握し、この把握したタービン入口蒸気流量と真空度特性データ１２ａとをもとに、復水器５の制御目標真空度を決定する。制御部１２は、この決定した制御目標真空度と真空計９による復水器５の真空度との偏差に基づいて、復水器５の真空度を制御する。ここで、この偏差が制御上限真空度と制御下限真空度との範囲内であれば、制御部１２は、真空度の制御動作を行わずに復水器５の真空度の監視を継続する。一方、この偏差が制御上限真空度と制御下限真空度との範囲を逸脱していれば、制御部１２は、この偏差を解消するように真空度の制御動作を行う。具体的には、制御部１２は、弁開度計１１から受信した弁開度信号をもとに冷却水出口弁１０の弁開度を把握し、この把握した弁開度と真空度特性データ１２ａとをもとに、復水器５の真空制御に必要な冷却水出口弁１０の開閉駆動量を求める。制御部１２は、求めた開閉駆動量をもとに冷却水出口弁１０の弁開度を制御し、この弁開度の制御を通して、復水器５の真空度を制御目標真空度に近づくように制御する。
【００４６】
なお、真空度特性データ１２ａには、上述したタービン入口蒸気流量に対応する制御目標真空度の特性データが、冷却水の圧力変動および温度変化に対応して複数設定されていてもよい。この場合、制御部１２は、圧力計２ａから受信した冷却水圧力信号をもとに冷却水母管２内の冷却水の圧力を把握し、温度計２ｂから受信した冷却水温度信号をもとに冷却水母管２内の冷却水の温度を把握する。制御部１２は、この把握した圧力および温度の各々に基づく冷却水の圧力変動および温度変化を監視しつつ、この冷却水の圧力変動および温度変化に基づいて、複数のタービン入口蒸気流量対制御目標真空度の特性データの中から、現在の冷却水の圧力および温度に好適な特性データを選択してもよい。これによって、冷却水母管２内の冷却水の圧力変動および温度変化による冷却水出口弁１０の開閉駆動量が細かく適正に補正される。
【００４７】
一方、制御部１２は、緊急制御部１２ｂを有する。緊急制御部１２ｂは、蒸気タービンプラント１において設備異常が発生した場合、緊急に復水器５の真空度を制御して、この設備異常に起因する復水器５の真空度の低下を抑制する。具体的には、緊急制御部１２ｂは、復水器５の真空度の低下限度を予め有する。緊急制御部１２ｂは、真空計９から受信した真空度信号をもとに復水器５の真空度を把握しつつ、この真空度が低下限度未満であるか否かを常時監視する。緊急制御部１２ｂは、この真空度の測定値が低下限度以上である場合、起動エゼクタ６の蒸気弁６ａおよび空気弁６ｂを閉じる制御を行い、これによって、蒸気弁６ａおよび空気弁６ｂの各閉状態を維持する。一方、緊急制御部１２ｂは、この真空度の測定値が低下限度未満である場合、蒸気弁６ａを開いて空気弁６ｂを開く制御を行う。この場合、緊急制御部１２ｂは、蒸気弁６ａを全開状態にする制御を行うとともに、蒸気弁６ａの弁開度を監視する。ついで、緊急制御部１２ｂは、弁開リミットスイッチ６ｃによる検知結果として、弁開リミット信号を受信し、この受信した弁開リミット信号に基づいて、蒸気弁６ａの全開状態を把握する。緊急制御部１２ｂは、蒸気弁６ａの全開後に、空気弁６ｂを開く制御を行う。緊急制御部１２ｂは、この蒸気弁６ａおよび空気弁６ｂの開駆動制御を通して、復水器５の真空度の低下を抑制する。
【００４８】
ここで、上述した低下限度は、蒸気タービンプラント１内の設備異常が発生した場合に低下する復水器５の真空度の許容下限である。なお、この許容下限とは、蒸気タービン４の突発停止を発生させないために許容される復水器５の真空度下限である。このような真空度の低下限度は、真空度特性データ１２ａの一部として予め設定される。
【００４９】
つぎに、本発明の実施の形態にかかる復水器真空制御方法について説明する。図２は、タービン入口蒸気流量と復水器の真空度との一特性例を示す模式図である。図３は、本実施の形態にかかる復水器真空制御装置の緊急制御部の一回路構成例を示す模式図である。なお、図２には、復水器５の制御目標真空度を示す制御目標線Ｌ１と、復水器５の制御上限真空度を示す制御上限線Ｌ２と、復水器５の制御下限真空度を示す制御下限線Ｌ３と、復水器５の真空度の低下限度を示す緊急動作線Ｌ４とが示されている。また、図２には、警報によって報知すべき過度に低い復水器５の真空度を示す警報線Ｌ５と、蒸気タービン４の停止を引き起こし得る程度に低下した復水器５の真空度を示す停止線Ｌ６とが示されている。以下、上述した図１および図２，３を参照しつつ、本実施の形態にかかる復水器真空制御方法を詳細に説明する。
【００５０】
本実施の形態にかかる復水器真空制御方法において、復水器真空制御装置１５は、まず、蒸気タービン４を起動するための起動時真空制御を行い、つぎに、蒸気タービン４を通常運転させるための高真空制御を行い、その後、蒸気タービン４の正常な運転を維持するための微調整真空制御を行う。また、復水器真空制御装置１５は、蒸気タービンプラント１内の設備異常に起因して復水器５の真空度が低下した場合、復水器５の真空度の低下を抑制するための緊急時真空制御を行う。
【００５１】
具体的には、起動時真空制御において、制御部１２は、まず、蒸気弁６ａに開駆動の指示信号を送信し、これによって、蒸気弁６ａを開放する。この結果、蒸気母管３から蒸気弁６ａを介して起動エゼクタ６に高圧蒸気が流入し、この高圧蒸気の作用によって、起動エゼクタ６の空気吸引状態が確立する。その後、制御部１２は、空気弁６ｂに開駆動の指示信号を送信し、これによって、空気弁６ｂを開放する。この状態において、起動エゼクタ６は、空気弁６ｂを介して復水器５内の空気を吸引し、これによって、蒸気タービン４を起動し得るレベルまで復水器５の真空度を急激に上げる。起動エゼクタ６は、このように復水器５の真空度を粗調整して、蒸気タービン４を起動する。
【００５２】
つぎに、高真空制御において、制御部１２は、蒸気弁７ａに開駆動の指示信号を送信し、これによって、蒸気弁７ａを開放する。この結果、蒸気母管３から蒸気弁７ａを介して主エゼクタ７に高圧蒸気が流入し、この高圧蒸気の作用によって、主エゼクタ７の空気吸引状態が確立する。その後、制御部１２は、空気弁７ｂに開駆動の指示信号を送信し、これによって、空気弁７ｂを開放する。この状態において、主エゼクタ７は、空気弁７ｂを介し、上述した起動エゼクタ６に比して強力に復水器５内の空気を吸引し、これによって、蒸気タービン４の起動時に比して高い真空度まで復水器５の真空度を上げる。主エゼクタ７は、このように復水器５の高真空状態を生成する。この結果、蒸気タービン４は、正常に定常運転し始める。一方、制御部１２は、復水器５を高真空状態にした後、起動エゼクタ６の蒸気弁６ａおよび空気弁６ｂに対して閉駆動の指示信号を送信し、これによって、蒸気弁６ａおよび空気弁６ｂをともに閉止する。また、制御部１２は、冷却水出口弁１０に対して開駆動の指示信号を送信し、これによって、冷却水出口弁１０を開く。
【００５３】
上述した起動時真空制御時および高真空制御時において、蒸気母管３内の高圧蒸気は、蒸気流量計８によってタービン入口蒸気流量を測定されつつ、蒸気母管３から蒸気タービン４に流入する。なお、蒸気流量計８は、制御部１２に蒸気流量信号を送信する。蒸気タービン４に流入した高圧蒸気は、復水器５の真空作用によって、蒸気タービン４のタービン動翼を回転動作させる仕事を行う。この蒸気タービン４の駆動に使用された蒸気は、蒸気タービン４から排出され、その後、復水器５に流入する。
【００５４】
一方、冷却水母管２内の冷却水は、圧力計２ａおよび温度計２ｂによって圧力および温度を各々測定されつつ、冷却水母管２から復水器５に流入する。なお、圧力計２ａは、制御部１２に冷却水圧力信号を送信し、温度計２ｂは、制御部１２に冷却水温度信号を送信する。復水器５に流入した冷却水は、蒸気タービン４から復水器５に供給された蒸気を冷却する。復水器５は、この冷却水の冷却作用によって、蒸気タービン４からの蒸気を復水する。この復水器５の復水処理によって得られた水は、ボイラー（図示せず）に回収される。一方、この蒸気を冷却した後の水は、復水器５から排出され、その後、冷却水出口弁１０を介して、海水導入溝等の冷却水源（図示せず）に戻される。
【００５５】
ここで、上述した起動時真空制御および高真空制御によって、蒸気タービン４は、定常的な通常運転を行う。この蒸気タービン４の通常運転状態において、制御部１２は、蒸気タービン４に正常な運転を継続させるために、復水器５の微調整真空制御を行う。この微調整真空制御において、制御部１２は、冷却水出口弁１０の弁開度を制御することによって、復水器５の真空度を適正なものに微調整する。
【００５６】
詳細には、微調整真空制御において、制御部１２は、まず、蒸気流量計８からの蒸気流量信号に基づくタービン入口蒸気流量と真空度特性データ１２ａとをもとに、復水器５の制御目標真空度を決定する。続いて、制御部１２は、この決定した制御目標真空度に対応して、復水器５の制御上限真空度および制御下限真空度を設定する。
【００５７】
具体的には、図２の制御目標線Ｌ１と制御上限線Ｌ２と制御下限線Ｌ３とに示されるように、制御部１２は、復水器５の設備耐久性等の設備仕様を加味し、制御上限真空度として、制御目標真空度に比して所定値だけ高い真空度を設定する。また、制御部１２は、蒸気タービン４の正常な運転の維持を加味し、制御下限真空度として、制御目標真空度に比して所定値だけ低い真空度を設定する。
【００５８】
上述した制御目標真空度、制御上限真空度および制御下限真空度を設定後、制御部１２は、真空計９による復水器５の真空度の測定値と、制御上限真空度および制限下限真空度とを比較する。制御部１２は、比較処理の結果、真空度の測定値が制御上限真空度を超過する場合、冷却水出口弁１０の弁開度を絞る制御を行う。この場合、制御部１２は、弁開度計１１によって検出された冷却水出口弁１０の現時点の弁開度と真空度特性データ１２ａとをもとに、微調整真空制御に必要な冷却水出口弁１０の閉駆動量を求める。制御部１２は、この得られた閉駆動量の指示信号を冷却水出口弁１０に送信し、これによって、この閉駆動量だけ冷却水出口弁１０の弁開度を絞る。一方、制御部１２は、比較処理の結果、真空度の測定値が制御下限真空度未満である場合、冷却水出口弁１０の弁開度を上げる制御を行う。この場合、制御部１２は、弁開度計１１による冷却水出口弁１０の現時点の弁開度と真空度特性データ１２ａとをもとに、微調整真空制御に必要な冷却水出口弁１０の開駆動量を求める。制御部１２は、この得られた開駆動量の指示信号を冷却水出口弁１０に送信し、これによって、この開駆動量だけ冷却水出口弁１０の弁開度を上げる。
【００５９】
制御部１２は、上述したように冷却水出口弁１０の弁開度を制御することによって、復水器５の排水流量、すなわち、復水器５に対する冷却水の供給流量を制御し、この冷却水の供給流量の制御を通して、復水器５の真空度を微調整する。例えば図２の点Ｐ１に示されるように、制御部１２は、復水器５の真空度が制御上限真空度を超過した場合、復水器５に対する冷却水の供給流量を下げて、復水器５の真空度を制御目標真空度に近づける。一方、制御部１２は、復水器５の真空度が制御下限未満である場合、復水器５に対する冷却水の供給流量を上げて、復水器５の真空度を制御目標真空度に近づける。このように、制御部１２は、制御上限真空度と制限下限真空度との間の真空度範囲内の真空度に、好ましくは、制御目標真空度近傍の真空度に、復水器５の真空度を維持する。
【００６０】
上述したように復水器５の真空度が制御上限真空度と制限下限真空度との間の真空度範囲内に維持されれば、蒸気タービン４は、正常な定常運転を行う。この蒸気タービン４の正常な定常運転時において、復水器５の真空度は、蒸気タービン４の負荷に応じた最もタービン効率の良くなる真空度に維持される。また、蒸気の急激なドレン化に起因するドレンアタックが蒸気タービン４内において抑制され、この結果、ドレンアタックによる蒸気タービン４のタービン動翼の破損を防止できる。
【００６１】
その後、制御部１２は、上述した微調整真空制御を行いつつ、真空計９からの真空度信号をもとに、復水器５の真空度を継続的に監視する。ここで、復水器５に関連する配管に腐食によるピンホールが発生する等、蒸気タービンプラント１内の設備が破損する設備異常が発生した場合、復水器５の真空度は、この設備異常に起因して低下する。制御部１２は、真空計９からの真空度信号に基づいて、この真空度の低下を検知する。この場合、制御部１２は、この真空度の低下を抑制するために、まず、微調整真空制御によって復水器５の真空度を上げようと試みる。すなわち、制御部１２は、冷却水出口弁１０に対して開駆動の指示信号を送信し、これによって、復水器５に対する冷却水の供給流量を上げ、復水器５の真空度を制御目標真空度に近づけようとする。
【００６２】
しかし、蒸気タービンプラント１内の設備異常が自然に復旧することは皆無である。このため、復水器５の真空度は、冷却水出口弁１０の弁開度を上げて復水器５に対する冷却水の供給流量を上げた場合であっても、この設備異常に起因して低下し続ける。例えば図２の点Ｐ２に示すように、復水器５の真空度は、制御上限線Ｌ２と制御下限線Ｌ３との間の真空度範囲から逸脱して低下し続け、ついには、緊急動作線Ｌ４を下回る真空度まで低下する。この復水器５の真空度低下は、制御部１２の駆動制御によって冷却水出口弁１０を全開した場合であっても、抑制されない。
【００６３】
上述したような設備異常に起因する復水器５の真空度低下を抑制するために、制御部１２は、緊急時真空制御を行う。具体的には、緊急時真空制御の実行前において、緊急制御部１２ｂは、真空計９からの真空度信号に基づいて、復水器５の真空度の最新測定値を常に把握する。また、緊急制御部１２ｂは、復水器５の真空度の低下限度を予め設定する。具体的には、緊急制御部１２ｂは、図２の緊急動作線Ｌ４に示されるように、この真空度の低下限度として、制御下限真空度（図２の制御下限線Ｌ３参照）に比して低い真空度を設定する。この場合、緊急制御部１２ｂは、蒸気タービン４の突発停止の防止に必要な遅延時間を加味して、図２に示すように、停止線Ｌ６に対応する真空度に比して十分高く設定し、さらには、警報線Ｌ５に対応する真空度に比して高く設定する。例えば、この真空度の低下限度は、図２に示すように、制御下限線Ｌ３と停止線Ｌ６との中間近傍の真空度に設定される。
【００６４】
その後、緊急時真空制御において、緊急制御部１２ｂは、まず、復水器５の真空度の最新測定値と低下限度とを比較して、この真空度の最新測定値が低下限度を下回っているか否かを常に監視する。緊急制御部１２ｂは、比較処理の結果、真空度の最新測定値が低下限度以上である場合、起動エゼクタ６の蒸気弁６ａおよび空気弁６ｂを閉じる制御を行う。これによって、緊急制御部１２ｂは、蒸気弁６ａおよび空気弁６ｂの各閉止状態を維持する。
【００６５】
一方、真空度の最新測定値が低下限度未満である場合（図２の点Ｐ２参照）、緊急制御部１２ｂは、蒸気弁６ａを開いて空気弁６ｂを開く制御を行う。詳細には、緊急制御部１２ｂは、例えば図３に示すように、論理積回路１２ｃを有する。緊急制御部１２ｂは、真空計９からの真空度信号に基づいて、復水器５の真空度が低下限度を下回ったことを検知し、この検知結果に対応して、真空度低下の検知信号Ｓ１を生成するとともに、弁の全開駆動を指示する弁全開指示信号Ｓ２を蒸気弁６ａに送信する。論理積回路１２ｃは、この検知信号Ｓ１を受信して、待機状態になる。
【００６６】
蒸気弁６ａは、この弁全開指示信号Ｓ２に基づいて駆動し、この結果、全開状態になる。この全開状態において、起動エゼクタ６には蒸気母管３から高圧蒸気が流入し、これによって、起動エゼクタ６の空気吸引可能状態が確立する。一方、弁開リミットスイッチ６ｃは、この蒸気弁６ａの全開状態を検知し、この全開状態を知らせる弁開リミット信号Ｓ３（図３参照）を緊急制御部１２ｂに送信する。
【００６７】
上述したように蒸気弁６ａに対して全開駆動を指示した後、緊急制御部１２ｂは、蒸気弁６ａの全開状態を知らせる応答信号を待ち、その後、この応答信号として、弁開リミットスイッチ６ｃから弁開リミット信号Ｓ３を受信する。この弁開リミット信号Ｓ３は、図３に示すように、緊急制御部１２ｂの論理積回路１２ｃに入力され、この結果、論理積回路１２ｃは、上述した検知信号Ｓ１と弁開リミット信号Ｓ３とを受信する。すなわち、論理積回路１２ｃは、この弁開リミット信号Ｓ３を受信したタイミングにオン状態になって、空気弁６ｂに弁全開指示信号Ｓ４を送信する。
【００６８】
空気弁６ｂは、この弁全開指示信号Ｓ４に基づいて駆動し、この結果、全開状態になる。この全開状態において、起動エゼクタ６は、空気弁６ｂを介して復水器５内の空気を急激に吸引する。これによって、起動エゼクタ６は、蒸気タービンプラント１内の設備異常に起因する復水器５の真空度低下を抑制するとともに、所定の期間、復水器５の現時点における真空度を維持する。
【００６９】
ここで、上述した緊急時真空制御機能を有する緊急制御部１２ｂを備えていない従来の復水器真空制御装置は、蒸気タービンプラント１内の設備異常に起因して復水器５の真空度が低下し始めた場合、この設備異常に起因する真空度低下を抑制することができない。このため、復水器５の真空度は、図２に示す停止線Ｌ６の真空度まで、徐々に低下し続け、最終的に、この停止線Ｌ６のレベルを下回る。この場合、復水器５の真空状態は破壊され、これに起因して、蒸気タービン４は、突発的に停止してしまう。この蒸気タービン４の突発停止は、蒸気タービンプラント１内において多大な損害を引き起こす。また、この蒸気タービン４の突発停止に起因する鉄鋼製品生産の悪影響は、計り知れない。
【００７０】
これに対し、本発明の実施の形態にかかる復水器真空制御装置１５および復水器真空制御方法では、蒸気タービンプラント１内の設備異常に起因して復水器５の真空度が低下し始めた場合、上述したように緊急制御部１２ｂによって緊急時真空制御を行う。これによって、この設備異常に起因する復水器５の真空度低下の進行を遅らせることができる。この結果、復水器５の現時点における真空度を所定の期間、維持できるとともに、復水器５の真空状態が破壊されるまでの時間を遅延させて、この真空度低下に対する適切な処置を実行可能な時間を確保できる。オペレータは、この確保した時間内に、蒸気タービンプラント１内の設備異常状態等の総合的なプラント状態を把握し、さらには、蒸気タービン４の停止処置等を行える。これによって、蒸気タービン４の突発停止を回避することができる。また、蒸気弁６ａを開く前に空気弁６ｂを開く等のオペレーションミスを未然に防止できるとともに、蒸気弁６ａの不作動等の誤動作に起因して復水器５の真空状態が破壊される危険性を回避できる。
【００７１】
以上、説明したように、本発明の実施の形態では、蒸気タービンプラント内の設備異常が発生した場合に低下する復水器の真空度の低下限度を予め設定し、真空計によって測定した復水器の真空度と、この設定した低下限度とを比較して、真空度の測定値が低下限度未満である場合、蒸気タービンを起動する起動エゼクタの蒸気弁を開き、その後、この起動エゼクタの空気弁を開状態にするように構成した。
【００７２】
このため、蒸気タービンプラント内の設備異常に起因する復水器の真空度低下を早期に検知し、起動エゼクタの急激な抽気作用によって、この真空度低下を抑制できるとともに、復水器の現時点における真空度を所定の期間、維持できる。これによって、この設備異常に起因する復水器の真空度低下の進行を遅らせることができる。この結果、復水器の真空状態が破壊されるまでの時間を遅延させて、この真空度低下に対する適切な処置を実行可能な時間を確保できることから、蒸気タービンの突発停止の回避に寄与できる。
【００７３】
本発明にかかる復水器真空制御装置および復水器真空制御方法を用いることによって、オペレータは、上述したように確保した時間内に、蒸気タービンプラントの総合的なプラント状態を把握し、さらには、蒸気タービンプラントの損傷が小さいうちに蒸気タービンの停止処置、異常設備の補修処置、復水器の真空度回復処置等の適切な処置を行うことができる。この結果、蒸気タービンの突発停止を回避できるとともに、この蒸気タービンの突発停止に起因する蒸気タービンプラントの損害の拡大を防止できる。
【００７４】
また、上述した実施の形態では、起動エゼクタの作用によって設備異常に起因する真空度低下を抑制する際、この起動エゼクタの蒸気弁が全開した後、この起動エゼクタの空気弁を開くように構成している。このため、蒸気弁を開く前に空気弁を開く等のオペレーションミスを未然に防止できるとともに、蒸気弁の故障による不作動等の蒸気弁の誤動作に起因して復水器の真空状態が破壊される危険性を回避できる。
【００７５】
なお、上述した実施の形態では、単一の蒸気タービンを備えた蒸気タービンプラントを例示したが、これに限らず、本発明にかかる復水器真空制御装置および復水器真空制御方法は、複数の蒸気タービンを備えた蒸気タービンプラントに適用することもできる。この場合、複数の蒸気タービンの各々に、起動エゼクタ６、蒸気弁６ａ、および空気弁６ｂを配置して、複数の蒸気タービンの各々について、上述した緊急時真空制御を行えばよい。
【００７６】
また、上述した実施の形態では、図２に示した制御下限線Ｌ３と停止線Ｌ６との中間近傍に緊急動作線Ｌ４の真空度を設定していたが、これに限らず、緊急動作線Ｌ４の真空度、すなわち、復水器５の真空度の低下限度は、停止線Ｌ６の真空度に比して、真空度低下に対する適切な処置を実行可能な時間を確保できる程度に高く設定すればよい。また、この低下限度は、上述した制御上限真空度および制御下限真空度を設定した場合に、この制御下限真空度に比して低くすればよい。
【００７７】
さらに、上述した実施の形態では、微調整真空制御の後に緊急時真空制御を行っていたが、これに限らず、復水器５の真空度を継続的に監視して、復水器５の真空度が低下限度を下回ったタイミングに、上述した緊急時真空制御を行えばよい。
【００７８】
また、上述した実施の形態により本発明が限定されるものではない。上述した各構成要素を適宜組み合わせて構成したものも本発明に含まれる。その他、上述した実施の形態に基づいて当業者等によりなされる他の実施の形態、実施例および運用技術等は全て本発明に含まれる。
【符号の説明】
【００７９】
１  蒸気タービンプラント
２  冷却水母管
２ａ  圧力計
２ｂ  温度計
３  蒸気母管
３ａ  主蒸気弁
４  蒸気タービン
５  復水器
６  起動エゼクタ
６ａ，７ａ  蒸気弁
６ｂ，７ｂ  空気弁
６ｃ  弁開リミットスイッチ
７  主エゼクタ
８  蒸気流量計
９  真空計
１０  冷却水出口弁
１１  弁開度計
１２  制御部
１２ａ  真空度特性データ
１２ｂ  緊急制御部
１２ｃ  論理積回路
１５  復水器真空制御装置
Ｌ１  制御目標線
Ｌ２  制御上限線
Ｌ３  制御下限線
Ｌ４  緊急動作線
Ｌ５  警報線
Ｌ６  停止線
Ｓ１  検知信号
Ｓ２，Ｓ４  弁全開指示信号
Ｓ３  弁開リミット信号
【図１】
2013181466.tif 000003
【図２】
2013181466.tif 000004
【図３】
2013181466.tif 000005